(57)【要約】【課題】画像表示するディスプレイが小型な場合や分離されている場合には、早送り、巻戻しといった指示をボタン操作にて行なうため、タッチパネルのような操作性を得ることはできなかった。また、従来のテープ媒体に習ったインターフェイスになっているためランダムアクセス可能な媒体には必ずしも最適ではなかった。【解決手段】連続的な値が取得可能なコントローラ１１５を使用し、コントローラ操作検出部１１４で検出したコントローラ値に基づき記録媒体１０１から読み出し、表示器１０４への表示とコントローラ１１５の操作を同期させる。これにより、所望の再生位置へ移動操作を簡便に実行できるので、操作性が向上した機器を提供できる。【選択図】図１
2007129615.tif 000002
【特許請求の範囲】
【請求項１】
記録媒体から圧縮された映像信号を読み出す読み出し処理手段と、前記読み出し処理手段に対して読み出し位置を指示する読み出し位置指示手段と、読み出された圧縮された映像信号を伸張し再生する映像信号再生処理手段と、映像信号の現在の再生位置を検出する再生位置検出手段と、前記再生位置検出手段により検出された位置情報を表示画像上に表示する再生位置表示手段と、連続値が取得可能なコントローラ手段とを備え、前記コントローラ手段により得られた値により前記再生位置を制御することを特徴とする映像信号再生装置。
【請求項２】
前記コントローラ手段の操作位置と前記再生位置表示手段により表示されている位置との同期処理を行なう請求項１記載の映像信号再生装置。
【請求項３】
再生停止状態において、前記コントローラ手段の操作により再生位置指定が行われると、指定位置のみ再生し一時停止する請求項２記載の映像信号再生装置。
【請求項４】
再生状態において、前記コントローラ手段の操作により再生位置指定が行われると、指定位置から再生を継続する請求項２記載の映像信号再生装置。
【請求項５】
早送り再生状態、早戻し再生状態、スロー再生状態、逆スロー再生状態、コマ送り再生状態または逆コマ送り再生状態において、前記コントローラ手段の操作により再生位置指定が行われると、指定位置から通常再生を再開する請求項２記載の映像信号再生装置。
【請求項６】
記録媒体から圧縮された映像信号を読み出す読み出し処理手段と、前記読み出し処理手段に対して読み出し位置を指示する読み出し位置指示手段と、読み出された圧縮された映像信号を伸張し再生する映像信号再生処理手段と、映像信号の現在の再生位置を検出する再生位置検出手段と、前記再生位置検出手段により検出された位置情報を表示画像上に表示する再生位置表示手段と、連続値が取得可能なコントローラ手段とを備え、前記コントローラ手段の操作速度および移動操作値により前記再生位置を制御することを特徴とする映像信号再生装置。
【請求項７】
前記コントローラ手段の操作速度により移動操作値への係数を決定する請求項６記載の映像信号再生装置。
【請求項８】
再生停止状態において、前記コントローラ手段の操作により再生位置指定が行われると、指定位置のみ再生し一時停止する請求項７記載の映像信号再生装置。
【請求項９】
再生状態において、前記コントローラ手段の操作により再生位置指定が行われると、指定位置から再生を継続する請求項７記載の映像信号再生装置。
【発明の詳細な説明】
【技術分野】
【０００１】
本発明は、映像信号を圧縮して記録し、再生する映像信号再生装置に関するものである。
【背景技術】
【０００２】
近年のデバイス技術の進展により、デジタル化された動画映像信号の記録メディアとしてテープメディアから、ＤＶＤに代表される光ディスクや、メモリカードに代表されるフラッシュメモリへ記録を行なう応用機器が普及し始めている。
【０００３】
光ディスクやフラッシュメモリなどの蓄積メディアを再生する装置では、従来のＶＴＲと同様に動画データの再生時間の表示が実現されている。
【０００４】
また、テープメディアと異なり動画データをファイル単位で扱うことができるため、現在動画データ中のどの部分を再生しているのかを、スクロール・バーなどを使用し位置を表すことができる。液晶表示装置（ＬＣＤ）などのディスプレイとタッチパネルを組み合わせ、ディスプレイ上に表示したスクロール・バーをタッチパネル上の該当位置を操作することにより、あたかも直接スクロール・バーを操作しているような操作体系を実現しているものもある（特許文献１）。
【特許文献１】特開２００４−１３９３２１号公報
【発明の開示】
【発明が解決しようとする課題】
【０００５】
しかしながら、画像表示するディスプレイが比較的小型なＬＣＤであった場合や、本体とは別の例えばテレビ画面であった場合には、早送り、巻戻しといったボタン操作にて操作を行なうため、タッチパネルと組み合わせたような操作の利便性を得ることはできなかった。また、この場合、所望の再生位置に移動させようとした場合には、従来のＶＴＲのインターフェイスに習っているため、早送りボタンや巻戻しボタンを操作し、早送りもしくは巻戻し動作を実行させて、所望の再生位置に到達するまで待つ必要があるという不便さもあった。
【０００６】
そこで、本発明は、より操作性を向上させたユーザーフレンドリーな映像信号再生装置を提供することを目的とする。
【課題を解決するための手段】
【０００７】
上記課題を解決するために本発明の映像信号再生装置は、記録媒体から圧縮された映像信号を読み出す読み出し処理手段と、前記読み出し処理手段に対して読み出し位置を指示する読み出し位置指示手段と、読み出された圧縮された映像信号を伸張し再生する映像信号再生処理手段と、映像信号の現在の再生位置を検出する再生位置検出手段と、前記再生位置検出手段により検出された位置情報を表示画像上に表示する再生位置表示手段と、連続値が取得可能なコントローラ手段とを備え、前記コントローラ手段により得られた値により前記再生位置を制御する。
【０００８】
ここで、前記コントローラ手段の操作位置と前記再生位置表示手段により表示されている位置との同期処理を行なってもよい。
【０００９】
また、再生停止状態において、前記コントローラ手段の操作により再生位置指定が行われると、指定位置のみ再生し一時停止してもよい。
【００１０】
また、再生状態において、前記コントローラ手段の操作により再生位置指定が行われると、指定位置から再生を継続してもよい。
【００１１】
また、早送り再生状態、早戻し再生状態、スロー再生状態、逆スロー再生状態、コマ送り再生状態または逆コマ送り再生状態において、前記コントローラ手段の操作により再生位置指定が行われると、指定位置から通常再生を再開してもよい。
【００１２】
また、本発明の映像信号再生装置は、記録媒体から圧縮された映像信号を読み出す読み出し処理手段と、前記読み出し処理手段に対して読み出し位置を指示する読み出し位置指示手段と、読み出された圧縮された映像信号を伸張し再生する映像信号再生処理手段と、映像信号の現在の再生位置を検出する再生位置検出手段と、前記再生位置検出手段により検出された位置情報を表示画像上に表示する再生位置表示手段と、連続値が取得可能なコントローラ手段とを備え、前記コントローラ手段の操作速度および移動操作値により前記再生位置を制御する。
【００１３】
ここで、前記コントローラ手段の操作速度により移動操作値への係数を決定してもよい。
【００１４】
また、再生停止状態において、前記コントローラ手段の操作により再生位置指定が行われると、指定位置のみ再生し一時停止してもよい。
【００１５】
また、再生状態において、前記コントローラ手段の操作により再生位置指定が行われると、指定位置から再生を継続してもよい。
【発明の効果】
【００１６】
本発明により、早送り、巻戻しといったボタン操作ではなく、リボンコントローラなどの連続的な値が取得可能なコントローラを使用し、画面上のスクロール・バー表示とコントローラの操作を同期させることにより、ユーザーは、早送りや巻戻し動作の実行なしで、容易に所望の再生位置への移動を可能とすることができる。
【発明を実施するための最良の形態】
【００１７】
以下、本発明の実施の形態による映像信号再生装置について、図面を用いて説明する。本実施の形態における映像信号再生装置は、デジタルビデオカメラなどの電子カメラの操作面にコントローラ手段を設ける、もしくは映像記録再生装置のリモコンの操作面にコントローラ手段を設けて実現することができる。
【００１８】
（実施の形態１）
図１は、本発明の実施の形態による映像信号再生装置の構成を示すブロック図である。同図において、１０１は、メモリカード、光ディスクあるいはハードディスクなどの記憶媒体である。以下に、映像信号再生装置の通常再生時の処理について説明する。
【００１９】
映像信号再生処理が停止中に、ユーザーが操作パネル１０９上の再生ボタン１１０を押下すると、通常再生指示部１０８に対し、再生ボタン１１０が押下されたことが通知される。通常再生指示部１０８は、再生ボタン１１０が押下されたという通知を受け取ると、読み出し処理制御部１０７に対して、等倍速での再生を開始するように指示を行なう。読み出し処理制御部１０７は、等倍速での再生開始を指示されると、等倍速再生を行なうために必要な所定の時間間隔にて、読み出し処理部１０２に対して、記憶媒体１０１から圧縮された映像信号を読み出す処理の制御を行なう。読み出し処理部１０２にて、記憶媒体１０１から読み出された圧縮された映像信号は、映像信号再生処理部１０３に渡される。映像信号再生処理部１０３では、圧縮された映像信号のデコード処理を行い、ＴＶ画面や筐体に設置されたＬＣＤなどの表示器１０４に映像の表示を行なう。
【００２０】
映像信号再生中に、ユーザーが操作パネル１０９上の停止ボタン１１１を押下すると、通常再生指示部１０８に対し、停止ボタン１１１が押下されたことが通知される。通常再生指示部１０８は、停止ボタン１１１が押下されたという通知を受け取ると、読み出し処理制御部１０７に対して、再生処理を停止するよう指示を行なう。読み出し処理制御部１０７は、再生停止を指示されると、読み出し処理部１０２に対して読み出し処理の停止を行なう。読み出し処理部１０２の読み出し処理が停止したことに伴い、映像信号再生処理部１０３のデコード処理も停止し、再生処理が終了し、映像信号再生処理は停止状態となる。
【００２１】
また、映像信号再生中に、ユーザーが操作パネル１０９上の一時停止ボタン１１２を押下すると、通常再生指示部１０８に対して、一時停止ボタン１１２が押下されたことが通知される。通常再生指示部１０８は、一時停止ボタン１１２が押下されたという通知を受け取ると、読み出し処理制御部１０７に対して、再生処理を一時停止するように指示を行なう。読み出し処理制御部１０７は、再生処理一時停止を指示されると、読み出し処理部１０２に対して読み出し処理の一時停止を行なう。読み出し処理部１０２の読み出し処理が一時停止したことに伴い、映像信号再生処理部１０３のデコード処理も一時停止し、表示器１０４に表示されている映像は停止し、映像信号再生処理は一時停止状態となる。この状態でユーザーが操作パネル１０９上の再生ボタン１１０もしくは一時停止ボタン１１２を押下すると、一時停止した位置から映像信号の再生が再開される。
【００２２】
図２は、本実施の形態による映像信号再生装置の操作パネル１０９を模式的に表したものである。以下、本実施の形態において、順方向操作とはコントローラ１１５に指で触れた状態で右方向へ移動し、その後にコントローラ１１５から指を離す操作であり、逆方向操作とは順方向操作とは逆の左方向への操作であるとする。
【００２３】
図３は、本実施の形態による映像信号再生装置の再生停止状態時の処理を示すフローチャートである。以下に、映像信号再生装置の再生停止状態時の処理についての説明を行なう。
【００２４】
映像信号再生装置が再生停止状態である時には、表示器１０４には先頭の映像、もしくは一時停止した位置での映像と、全体での再生位置を表す表示が行われている。例えば、図４の例では、映像の下部にバー状の表示があり、その上に現在の再生位置が示されている。また、図５の例では、映像の右下にタイムコードが示され、「現在の再生時間／全体の時間」というように現在の再生位置が分かるように示されている。この現在の再生位置は、再生位置検出処理部１０５で検出し、再生位置表示手段１０６で図４または図５のように表示のためのデータを生成し、表示器１０４に出力される。なお、再生位置は再生する映像信号（あるいはファイル）の付加情報などから得ることができる。
【００２５】
映像信号再生装置が停止中に、コントローラ１１５の中間位置２０５（図２を参照）に触れられると、コントローラ操作検出部１１４は、中間位置に対応するコントローラ値を検出し、再生位置制御部１１３に値を通知する。その通知された値を元に再生位置制御部は１１３では、例えばデータ記録時間が３０分であった場合には、１５分の位置と判断する。そして、読み出し処理制御部１０７に対して１５分の位置からデータを読み出し、１５分の位置を表示し一時停止するように指示を行なう。以下に、再生位置制御部１１３の処理を図３より説明を行なう。
【００２６】
映像信号再生装置が停止中（ステップ３０２でＮｏ）に、ユーザーの指がコントローラ１１５の中間位置２０５に触れると、コントローラ値が０でないので、図３のステップ３０３からステップ３０４へ分岐する。ステップ３０４では、コントローラの値より０〜１．０の間の係数を求め、ステップ３０５に進む。ステップ３０５では、ステップ３０４にて求めた係数をデータ記録時間に乗じて、指示された再生位置を求める。本実施の形態では、データ記録時間が３０分のデータであった場合に、コントローラ１１５の中間位置２０５を指示されたので、コントローラ値による係数は０．５となり、３０分×０．５＝１５分が指示された再生位置となる。また、コントローラ値による係数が０の場合は、再生位置は０分、つまりデータの先頭を表し、コントローラ値による係数が１．０の場合は、再生位置３０分、つまりデータの最後を表す。ステップ３０２の判断にて停止状態であるので、ステップ３０６では、再生位置で一時停止での表示指示を行なう。
【００２７】
以上が、図３での再生停止状態時の処理である。このように、コントローラ１１５への操作位置に同期した再生位置を表示することができる。
【００２８】
なお、データ記録時間は、記録媒体１０１に記録された映像信号（ファイルなど）の付加情報などから予め得ることができる。また、指定された再生位置にはナビゲーション情報などの付加情報から得ることができる。また、映像信号再生装置が再生中（ステップ３０２でＹｅｓ）の場合や、コントローラ値が０（ステップ３０３でＹｅｓ）の場合は、このフロー（或いは、ルーチン）を一旦終了し、所定の処理に続き再度このフローに入る。
【００２９】
図６は、本実施の形態による映像信号再生装置の再生状態時の処理を示すフローチャートである。以下に、映像信号再生装置の再生状態時の処理についての説明を行なう。
【００３０】
映像信号再生装置が再生中に、コントローラ１１５の中間位置２０５（図２参照）に触られると、コントローラ操作検出部１１４は、コントローラ値を検出し、再生位置制御部１１３に値を通知する。再生位置制御部１１３は、読み出し処理制御部１０７に一時停止指示を行なう。また、コントローラ操作検出部１１４より通知された値を元に再生位置制御部１１３では、例えばデータ記録時間が３０分であった場合には、１５分の位置と判断する。そして、読み出し処理制御部１０７に対して１５分の位置からデータを読み出し、１５分の位置から再生を再開するように指示を行なう。以下に、再生位置制御部１１３の処理を図６より説明を行なう。
【００３１】
映像信号再生装置が再生中（ステップ６０２でＹｅｓ）に、ユーザーの指がコントローラ１１５の中間位置２０５に触れると、コントローラ値が０でないので、図６のステップ６０３からステップ６０４に分岐する。ステップ６０４では、再生状態を一時停止する指示を行い、ステップ６０５に進む。ステップ６０５では、コントローラの値より０〜１．０の間の係数を求め、ステップ６０６に進む。ステップ６０６では、ステップ６０５にて求めた係数をデータ記録時間に乗じて、指示された再生再開位置を求める。本実施の形態では、データ記録時間が３０分のデータであった場合には、コントローラ１１５の中間位置２０５が指示されたので、コントローラ値による係数は０．５となり、３０分×０．５＝１５分が指示された再生再開位置となる。また、コントローラ値による係数が０の場合は、再生再開位置は０分、つまりデータの先頭からの再生再開を表し、コントローラ値による係数が１．０の場合は、再生再開位置が３０分、つまり再生再開位置はデータの最後なので、最後のデータを表示し一時停止することを表す。ステップ６０２の判断にて再生状態であるので、ステップ３０７では再生再開位置からの再生再開の指示を行なう。
【００３２】
以上が、図６での再生状態時の処理である。このように、コントローラ１１５への操作位置に同期した再生位置を表示することができる。
【００３３】
なお、データ記録時間は、記録媒体１０１に記録された映像信号（ファイルなど）の付加情報などから予め得ることができる。また、指定された再生位置にはナビゲーション情報などの付加情報から得ることができる。また、映像信号再生装置が再生中でない（ステップ６０２でＮｏ）の場合や、コントローラ値が０（ステップ６０３でＹｅｓ）の場合は、このフロー（或いは、ルーチン）を一旦終了し、所定の処理に続き再度このフローに入る。
【００３４】
また、映像信号再生装置が、早送り、早戻し、スロー、逆スロー、コマ送りあるいは逆コマ送りのいずれかの再生中であった場合には、再生状態時と同様の処理となるので、図６のステップ６０２の判断にてすべて再生中であると判断し、再生状態時と同様の処理が行なわれる。
【００３５】
また、上記実施の形態においては、コントローラ操作検出部１１４にて、コントローラ１１５が触れられた位置を元にデータ記録時間に乗じる係数を求めていたが、コントローラ１１５を操作した操作速度と移動操作値のいずれかまたは両方を元に係数を算出してもよい。
【産業上の利用可能性】
【００３６】
本発明の映像信号再生装置は、連続的な値が取得可能なコントローラにより、簡便な操作で、容易に所望の再生位置への移動を可能とすることができるので、筐体にコントローラを設置した場合だけでなく、リモコンなどにコントローラを設置する用途にも適用でき、各種機器において有用である。
【図面の簡単な説明】
【００３７】
【図１】本発明の実施の形態１による映像信号再生装置の構成を示すブロック図
【図２】同映像信号再生装置の操作パネルの構成例を示す模式図
【図３】同映像信号再生装置の再生停止状態時の動作を示すフローチャート
【図４】同映像信号再生装置が再生停止状態である時の表示例を示す模式図
【図５】同映像信号再生装置が再生停止状態である時の表示例を示す模式図
【図６】同映像信号再生装置の再生状態時の動作を示すフローチャート
【符号の説明】
【００３８】
１０１    記録媒体
１０２    読み出し処理部
１０３    映像信号再生処理部
１０４    表示器
１０５    再生位置検出処理部
１０６    再生位置表示手段
１０７    読み出し処理制御部
１０８    通常再生指示部
１０９    操作パネル
１１０    再生ボタン
１１１    停止ボタン
１１２    一時停止ボタン
１１３    再生位置制御部
１１４    コントローラ操作検出部
１１５    コントローラ
【図１】
2007129615.tif 000003
【図２】
2007129615.tif 000004
【図３】
2007129615.tif 000005
【図４】
2007129615.tif 000006
【図５】
2007129615.tif 000007
【図６】
2007129615.tif 000008